(57)【要約】　　　（修正有）【課題】通電により発光し、室内側からと室外側からとの双方向から楽しむことのできる電子ステンドグラスを提供する。【解決手段】電子ステンドグラス１１は、対向配置される一対の透明支持体１３，１４により、有機ＥＬ素子１７で板状に形成されている光透過性の板状発光部１６を挟持させている。有機ＥＬ素子１７は、陰極となる第１電極１８と陽極となる第２電極１９との間に有機ＥＬ層２１，２２，２３を挟んだ構成である。【選択図】　　　　図１
2004142292.tif 000002
【特許請求の範囲】
【請求項１】
通電により発光する有機ＥＬ素子を有する光透過性の板状発光部を備えたことを特徴とする電子ステンドグラス。
【請求項２】
前記有機ＥＬ素子は、
光透過性の第１電極と、
前記第１電極に対向配置される光透過性の第２電極と、
前記第１電極と前記第２電極との間に挾持され、前記第１及び第２電極への通電により発光する発光層をそれぞれ有する複数個の有機ＥＬ層と、
を備えたことを特徴とする請求項１に記載の電子ステンドグラス。
【請求項３】
前記有機ＥＬ層から出射した光の波長を選択するカラーフィルタを備えたことを特徴とする請求項２に記載の電子ステンドグラス。
【請求項４】
前記第１電極及び前記第２電極の一方を支持する透明支持体を備えたことを特徴とする請求項２又は３に記載の電子ステンドグラス。
【請求項５】
前記第１電極と前記第２電極との間に電圧を印加する光透過性の太陽電池を、前記第１電極上に積層配置したことを特徴とする請求項２乃至４の何れかに記載の電子ステンドグラス。
【請求項６】
電子ステンドグラス外部の光強度に応じて、前記第１電極及び第２電極間に電圧を印加する電源を備えたことを特徴とする請求項２乃至４の何れかに記載の電子ステンドグラス。
【請求項７】
前記太陽電池が、前記外部光強度に応じて、電圧を印加することを特徴とする請求項５に記載の電子ステンドグラス。
【請求項８】
所定の時刻となった時に、前記第１電極及び前記第２電極間に電圧を印加する電源を備えたことを特徴とする請求項２乃至４の何れかに記載の電子ステンドグラス。
【請求項９】
前記板状発光部が、複数個の有機ＥＬ素子と、隣接する前記有機ＥＬ素子間を仕切る絶縁性のフレームとを有し、
各有機ＥＬ素子は、
光透過性の第１電極と、
この第１電極に対向配置される光透過性の第２電極と、
前記第１電極と前記第２電極との間に挾持され、前記第１及び第２電極への通電により発光する発光層を有する有機ＥＬ層と、
を備えることを特徴とする請求項１に記載の電子ステンドグラス。
【請求項１０】
前記フレームに、前記第１電極と前記第２電極間に電圧を印加する配線材を組み込んだことを特徴とする請求項９に記載の電子ステンドグラス。
【請求項１１】
電子ステンドグラス外部の光強度に応じて、前記第１電極及び第２電極間に電圧を印加する電源を備えたことを特徴とする請求項１０に記載の電子ステンドグラス。
【請求項１２】
前記有機ＥＬ層から出射した光の波長を選択するカラーフィルタを備えたことを特徴とする請求項９乃至１１の何れかに記載の電子ステンドグラス。
【請求項１３】
前記第１電極及び前記第２電極の少なくとも一方を支持する透明支持体を備えたことを特徴とする請求項９又は１２の何れかに記載の電子ステンドグラス。
【請求項１４】
前記複数の有機ＥＬ素子それぞれへの電圧印加を制御するコントローラを備えたことを特徴とする請求項９乃至請求項１３の何れかに記載の電子ステンドグラス。
【請求項１５】
前記板状発光部は、マトリクス状に配置された複数のカラーユニットを有し、
各カラーユニットは、それぞれ異なる色の発光を行う複数個の有機ＥＬ素子が組み込まれていることを特徴とする請求項１記載の電子ステンドグラス。
【請求項１６】
前記複数の有機ＥＬ素子は、光透過性の第１電極と、この第１電極に対向配置される光透過性の第２電極と、前記第１電極と前記第２電極との間に挾持されて前記第１及び第２電極への通電によって発光する発光層を有した有機ＥＬ層とを備えることを特徴とする請求項１５に記載の電子ステンドグラス。
【請求項１７】
前記カラーユニットの発色を前記カラーユニット毎に個別に制御するコントローラを備えたことを特徴とする請求項１５又は請求項１６に記載の電子ステンドグラス。
【発明の詳細な説明】
【０００１】
【発明の属する技術分野】
本発明は、電子ステンドグラスに関する。
【０００２】
【従来の技術】
図１２は、通常のステンドグラスを示す図である。ステンドグラスは、透明ガラス、色板ガラス、透光性プラスチック等から構成される透明基材１の片面に顔料、染料等から構成される透光性の着色層２を焼き付け、形成した個々のガラス片を断面がＨ型の鉛製枠等によって継ぎ合わせて、画像や文様を表すものである。
【０００３】
ステンドグラスは、ステンドグラスで隔てられた外部空間の照度が、鑑賞する場所よりも高い場合に、透過する光により着色層２の発色が鮮やかになる。従って、住宅の窓等にステンドグラスを装着した場合、例えば、晴天の日中等で、室内よりも室外の方が照度が高く、室外から室内に向かって強い光りが照射されている場合には、室内側から鑑賞すれば、着色層２の鮮やかな発色を鑑賞することができる。しかし、室外側からは、着色層２の鮮やかな発色を鑑賞することはできない。その逆に、夜間等で、室外よりも室内の方が照度が高く、室内から室外に向かって光が照射される場合には、室外側から鑑賞した場合には、着色層２の鮮やかな発色を鑑賞することができるが、室内側からは無理である。
【０００４】
このように、通常のステンドグラスは、ステンドグラスで隔てられる内外空間における照度の大小が逆転すると、それに伴って、美しく鑑賞できる空間も逆転してしまい、例えば、室内等では、美しく鑑賞できる時間等が制限されるという問題があった。
【０００５】
このような問題を解消するために、図１３に示す電子ステンドグラス４が提案されている。
この電子ステンドグラス４は、色板ガラス等の透明支持体６の片面に、通電によって発光するＬＥＤ等の電子デバイス７を発光面を透明支持体６側にして敷き詰めるもので、電子デバイス７の発生する光が透明支持体６の反対側に漏れないように、電子デバイス７を支持するデバイス支持板９には非透光性材料を用いる。
この電子ステンドグラス４では、電子デバイス７の出射する光が透明支持体６を透過するため、透明支持体６を室内側に向けておけば、常に、室内側から、透明支持体６を透過した光の発色を楽しむことができる。
【０００６】
【発明が解決しようとする課題】
ところが、電子ステンドグラス４は、デバイス支持板９が非透光性のため、外光が十分な照度を持つ昼間においても、電子デバイス７に通電して、電子デバイス７を作動状態に維持しなければ、ステンドグラスとして機能させることができず、常時通電していなければならないために、維持費がかさんでしまう。
また、電子ステンドグラス４は、背面が光透過性を有していないため、双方向からステンドグラスを楽しむことが不可能である。
【０００７】
本発明が解決しようとする課題としては、上述したように、ＬＥＤを電子ステンドグラスに用いた場合には、常にＬＥＤを作動状態にしなければならない、背面側からステンドグラスを楽しむことが不可能である等が挙げられる。
【０００８】
【課題を解決するための手段】
本発明の請求項１記載の電子ステンドグラスは、通電によって発光する有機ＥＬ素子によって構成される光透過性の板状発光部を備えている。
【０００９】
【発明の実施の形態】
以下、添付図面に基づいて本発明の実施形態に係る電子ステンドグラスを詳細に説明する。
【００１０】
（第１実施形態）
図１は、本発明に係る電子ステンドグラスの第１の実施形態を示したものである。本実施形態の電子ステンドグラス１１は、対向配置される一対の透明支持体１３，１４で、光透過性の板状発光部１６を挾持させた構成である。
【００１１】
前記一対の透明支持体１３，１４は、一般的なステンドグラスに使用される透明な板ガラス、又はプラスチック板で、電極を機械的に支持する機構部品として機能している。また、各透明支持体１３，１４は、必要に応じて、その片面には、光透過性の着色層が装備される。
【００１２】
図示の板状発光部１６は、１個又は平面状に敷き並べられた複数個の有機ＥＬ素子１７で板状に形成されている。
【００１３】
有機ＥＬ素子は、通常、図２に示すように、陰極となる第１電極１８と陽極となる第２電極１９との間に、有機ＥＬ層２０を挟んだ構成である。
有機ＥＬ層２０は、電子輸送層２０ａと、発光層２０ｂと、正孔輸送層２０ｃと、正孔注入層２０ｄとを第１電極１８側から順に積層配備した構成である。
【００１４】
この有機ＥＬ素子の一対の電極１８，１９に接続された電源３１によって一対の電極１８，１９に通電されると、陰極から発生する電子が矢印ｄに示すように電子輸送層２０ａを伝って発光層２０ｂに流れ、陽極から発生するホールが矢印ｅに示すように正孔注入層２０ｄ，正孔輸送層２０ｃを伝って発光層２０ｂに流れる。そして、発光層２０ｂに到達した電子とホールが、再結合することで、光を出射する。この光は、等方性の光であり、陽極及び陰極側にほぼ同量の光が出射される。ここで、陽極となる第２電極１９上に配置された透明支持体１３を色板ガラスとし、陰極となる第１電極１８上に配置された透明支持体１４を色板ガラスとすることで、色板ガラス１３，１４を鮮やかに発色させることができる。
【００１５】
本実施形態では、板状発光部１６を構成する有機ＥＬ素子１７は、光透過性の第１電極１８と、この第１電極１８に対向配置される光透過性の第２電極１９と、これらの一対の電極１８，１９間に挾持状態に敷き並べられて前記一対の電極１８，１９への通電によって発光する発光層を有した複数個の有機ＥＬ層２１，２２，２３……とを備えた板状である。
本実施形態の場合、第１電極１８は陰極であり、第２電極１９は陽極である。また、図１には示していないが、これらの一対の電極１８，１９に通電（電圧を印加）する電源が装備されている。
なお、各有機ＥＬ層２１，２２，２３，……は、図２に示した有機ＥＬ層２０と同様の構成である。
【００１６】
以上の構成の電子ステンドグラス１１では、通電により発光する電子デバイスとして有機ＥＬ素子１７を使用していて、有機ＥＬ素子１７によって形成した板状発光部１６が光透過性を有している。例えば、外光が十分な照度を持つ昼間においては、通電によらずに、板状発光部１６を通過する外光によってステンドグラスとしての着色層の鮮やかな発色を鑑賞することができ、外光が不足する夜間等には電子デバイスとしての有機ＥＬ素子１７への通電によって板状発光部１６を発光させ、板状発光部１６から出射された光を透明支持体１３に透過させることで、着色層の鮮やかな発色を鑑賞することができ、従って、昼夜を問わず美しく鑑賞することができる。
【００１７】
しかも、外光が十分な照度を持つときには、有機ＥＬ素子１７へは通電せずに、外光によって着色層を発色させることによって、節電することができ、節電によって維持費の軽減を図ることができる。
【００１８】
（第２実施形態）
図３は、本発明に係る電子ステンドグラスの第２の実施形態を示したものである。
この第２の実施形態の電子ステンドグラス４１は、図１に示した電子ステンドグラス１１において、前記有機ＥＬ層２１，２２，２３，……から出射した光の波長を選択するカラーフィルタ４３ａ，４３ｂ，４３ｃ，……を前記透明支持体１３と第２電極１９との間に配置している。
追加したカラーフィルタ４３ａ，４３ｂ，４３ｃ，……以外の構成は、第１の実施形態と共通であるので、共通の構成には同番号を付して説明を省略する。
【００１９】
各カラーフィルタ４３ａ，４３ｂ，４３ｃ，……は、選択する波長が異なるもので、各有機ＥＬ層２１，２２，２３，……毎に、異なった色の発光を生じさせる。
有機ＥＬ素子が出射した光の色を変える方法としては、白色発光をカラーフィルタを用いて色変換する方法と、青色発光をカラーフィルタを用いて色変換する方法とがあるが、どちらの方法も採用可能である。
【００２０】
なお、以上の実施形態では、一対の電極１８，１９のそれぞれが透明支持体１３，１４で支持される構成であった。
しかし、何れか一方の電極のみを透明支持体で支持する構成として、他方の電極は、一方の電極側に結合することで、使用する透明支持体の数量を減らすことができる。
即ち、電極を支持する透明支持体は、第１電極１８又は第２電極１９の少なくとも一方に装備すればよく、一方の電極のみに透明支持体を設けた構造とすることで、使用する透明支持体の数量を減らして、電子ステンドグラスの小型化や軽量化を図ることができる。
【００２１】
（第３実施形態）
図４は、本発明に係る電子ステンドグラスの第３の実施形態を示したものである。
この第３の実施形態の電子ステンドグラス４５は、図１に示した電子ステンドグラス１１において、前記第１電極１８及び前記第２電極１９に電圧を供給する電源として、光透過性の太陽電池４７を、前記第１電極１８上に積層配置している。
なお、太陽電池４７は、透明支持体の代わりに第１電極１８上に積層装備していて、この点以外の構成は、第１の実施形態と共通であるので、共通の構成には同番号を付して説明を省略する。
【００２２】
太陽電池４７は、太陽等の光が照射されることにより内部に電位差が生じ、電極間に電圧を供給する。このように太陽電池４７を搭載することで、太陽エネルギーを有効に活用して、石油等のエネルギー資源の節約を果たすことができる。また、太陽電池４７を光透過性とすることで、太陽電池４７自体を第１電極１８を支持する透明支持体として機能させることができて、太陽電池４７の追加が電子ステンドグラスの大型化を招くことを防止することができる。
【００２３】
（第４実施形態）
図５は、本発明に係る電子ステンドグラスの第４の実施形態を示したものである。
この第４の実施形態の電子ステンドグラス４９は、図４に示した電子ステンドグラス４５において、前記第２電極１９と透明支持体１３との間に、前記有機ＥＬ層２１，２２，２３，……から出射した光の波長を選択するカラーフィルタ４３ａ，４３ｂ，４３ｃ，……を追加装備している。
追加したカラーフィルタ４３ａ，４３ｂ，４３ｃ，……以外の構成は、第３の実施形態と共通であり、また、カラーフィルタ４３ａ，４３ｂ，４３ｃ，……は図３の第２の実施形態のものと共通である。他の実施形態と共通の構成には同番号を付して説明を省略する。
【００２４】
この電子ステンドグラス４９の場合も、各カラーフィルタ４３ａ，４３ｂ，４３ｃ，……は、選択する波長が異なるもので、各有機ＥＬ層２１，２２，２３，……毎に、異なった色の発光を生じさせる。色変換の方法としては、白色発光をカラーフィルタを用いて色変換する方法と、青色発光をカラーフィルタを用いて色変換する方法とのいずれの方法も採用可能である。
【００２５】
（第５実施形態）
図６は、本発明に係る電子ステンドグラスの第５の実施形態を示したものである。
この第５の実施形態の電子ステンドグラス５１は、以上の各実施形態で使用した有機ＥＬ素子１７の一対の電極１８，１９に電圧を印加する電源５２が、外光強度を検出する光センサ５３を備えて、外光強度に応じて、前記第１電極１８及び第２電極１９間に電圧を印加する構成となっている。
上記電源５２は、具体的には、例えば、外部の照度が下がる夕方になると有機ＥＬ素子１７が発光し、外部の照度が上がる朝になると有機ＥＬ素子１７が消光する構成で、光センサ５３は外部の光量を検出するセンサである。この光センサ５３の装備位置は、有機ＥＬ素子１７上の適宜位置に組み付けてもよく、また、ステンドグラス５１の近傍の適宜箇所に取り付けるようにしても良い。
【００２６】
なお、第３の実施形態や第４の実施形態のように、電源として太陽電池４７を装備する電子ステンドグラスの場合は、太陽電池４７から各電極１８，１９への電圧印加が、外光強度に応じてオン・オフされるように、出力制御回路を前記太陽電池４７に組み込むようにしても良い。
【００２７】
（第６実施形態）
図７は、本発明に係る電子ステンドグラスの第６の実施形態を示したものである。
この第６の実施形態の電子ステンドグラス５５は、以上の各実施形態で使用した有機ＥＬ素子１７の一対の電極１８，１９に電圧を印加する電源５７が、電源からの出力をオン・オフするタイマ５９を備えて、所定の時刻となった時に、前記第１電極及び前記第２電極間に電圧を印加する構成となっている。
この電子ステンドグラス５５の場合も、電源５７が電圧を印加する時間を、適宜に設定することで、日中は有機ＥＬ素子１７に通電せず、夜間に有機ＥＬ素子１７に通電させることができる。また、通電時刻を細かく設定することで、夜間等でも鑑賞する時間帯のみに有機ＥＬ素子１７に通電させることもできる。
【００２８】
（第７実施形態）
図８及び図９は、本発明に係る電子ステンドグラスの第７の実施形態を示したものである。
この第７の実施形態の電子ステンドグラス６１は、対向配置された一対の透明支持体１３，１４間に配置されて通電によって発光する板状発光部６３が、複数個（図示例では４個）の有機ＥＬ素子６４と、隣接する有機ＥＬ素子６４相互間を仕切る絶縁材料製のフレーム６８とを備えた構成を成している。
各有機ＥＬ素子６４は、図９に示すように、光透過性の第１電極１８と、この第１電極に対向配置される光透過性の第２電極１９と、これらの一対の電極１８，１９間に挾持されてこれらの一対の電極１８，１９への通電によって発光する発光層を有した有機ＥＬ層２０とを備えている。
【００２９】
この第７の実施形態の電子ステンドグラス６１は、フレーム６８によって仕切られた有機ＥＬ層２０毎に一対の電極１８，１９が装備されて、各有機ＥＬ層２０相互が互いに独立に発光操作可能である点で、図１に示した電子ステンドグラス１１と異なっている。
なお、図１に示した電子ステンドグラス１１の場合は、一対の電極１８，１９間に複数個の有機ＥＬ層２１，２２，２３，……が配置されていて、複数個の有機ＥＬ層２１，２２，２３，……が一対の電極１８，１９への通電によって一括して発光操作される。
【００３０】
この電子ステンドグラス６１のように、各有機ＥＬ層２０毎に独立に電極１８，１９を装備することで、複数個の有機ＥＬ素子６４を個別に発光させることができる。従って、例えば、板状発光部６３上の一部の有機ＥＬ素子６４にのみを発光させたり、発光させる有機ＥＬ素子６４を一定時間毎に変更するなどによって、より多様な発色表現をすることができる。
【００３１】
なお、有機ＥＬ素子６４間を絶縁性のフレーム６８で仕切った場合、図９に示したように、前記フレーム６８は中空のパイプ構造として、前記第１電極１８及び第２電極１９に電圧を印加する配線材７１，７２を前記フレーム６８内に組み込んだ構成とすると良い。
このようにすると、電源から各有機ＥＬ素子６４の電極１８，１９に電圧を導く配線が、外部に露出せず、外観の意匠性等を向上させることができると同時に、配線が外部に晒されて痛むことを防止することができる。
【００３２】
なお、配線材７１，７２は、導体の周囲に絶縁被覆が施された通常の被覆電線を使用すればよいが、フレーム６８の構造を工夫することで、絶縁基板等の上に、導体を印刷形成した配線パターンを流用することも可能である。
【００３３】
また、上記の図８及び図９に示した構造の電子ステンドグラス６１の場合も、各有機ＥＬ素子６４に電圧を印加する電源に、外部の光量を検出する光センサやタイマを装備して、例えば、夕方になると各有機ＥＬ素子６４が発光し、朝になると各有機ＥＬ素子６４が消光するように、外光強度に応じて電源の動作が制御される構成とすると良い。
【００３４】
また、上記の図８及び図９に示した構造の電子ステンドグラス６１の場合も、各有機ＥＬ層２０から出射した光の波長を選択するカラーフィルタを、各有機ＥＬ素子６４毎に個別に装備する構成として、各有機ＥＬ素子６４毎に、発色を制御するようにしても良い。この場合も、白色発光をカラーフィルタを用いて色変換する方法と、青色発光をカラーフィルタを用いて色変換する方法とのいずれの方法も採用可能である。
【００３５】
また、図９に示したように、第７の実施形態の電子ステンドグラス６１は一対の電極１８，１９のそれぞれが透明支持体１３，１４で支持される構成であった。
しかし、何れか一方の電極のみ（例えば、陽極となる第２電極１９のみ）を透明支持体で支持する構成として、他方の電極は、一方の電極側に結合することで、使用する透明支持体の数量を減らして、電子ステンドグラスの小型化や軽量化を図ってもよい。
【００３６】
図１０（ａ），（ｂ）は、本発明に係る電子ステンドグラスの第８の実施形態を示したものである。
この第８の実施形態の電子ステンドグラス７５は、第７の実施形態で示した構成を電気スタンド７７の傘７８に応用したものである。
この電子ステンドグラス７５は、フレーム８１で仕切られた複数個の有機ＥＬ素子８３ａ，８３ｂ，８３ｃ，……に対して、各有機ＥＬ素子毎に電源８５からの電圧印加を制御するコントローラ８７を備えた構成である。
【００３７】
有機ＥＬ素子８３の具体的な構成は、基本的に第７の実施形態における有機ＥＬ素子６４と同様である。
このようにコントローラ８７を備えたことで、複数個の各有機ＥＬ素子８３ａ，８３ｂ，８３ｃ，……を互いに独立に、任意の有機ＥＬ素子を光らせることができ、電子ステンドグラス７５における着色層の発色をより多様に変化させて楽しむことができる。
【００３８】
図１１（ａ），（ｂ）は、本発明に係る電子ステンドグラスの第９の実施形態を示したものである。
この第９の実施形態の電子ステンドグラス９１は、前述の第８の実施形態のものを更に改良したもので、複数の透過性の板状発光部９３と、隣接する板状発光部９３間を仕切る絶縁材料製のフレーム９４とを備えている。
そして、各板状発光部９３は、図１１（ｂ）に示すように、複数個のカラーユニット９５をマトリクス状に縦横に敷き並べた構成を成している。
また、各カラーユニット９５は、それぞれ異なる色の発光を行う複数個の有機ＥＬ素子が組み込まれている。
【００３９】
各カラーユニット９５に組み込まれる複数個の各有機ＥＬ素子自体は、図示はしないが、各有機ＥＬ素子毎に独立して発光を制御されるもので、図２に示したように、陰極となる光透過性の第１電極と、この第１電極に対向配置されて陽極として機能する光透過性の第２電極と、前記第１電極と前記第２電極との間に挾持されて前記第１及び第２電極への通電によって発光する発光層を有した有機ＥＬ層とを備えている。
【００４０】
更に、図示していないが、この電子ステンドグラス９１には、各カラーユニット９５の発色を各カラーユニット毎に個別に制御するコントローラが備えられている。
【００４１】
以上の電子ステンドグラス９１は、各カラーユニット９５に、Ｒ（レッド），Ｇ（グリーン），Ｂ（ブルー）の各色の発色をする複数個の有機ＥＬ素子を組み込んだ構成とすることで、例えば、ディスプレイパネルとして機能させることが可能となる。また、各カラーユニット９５の発色を制御するコントローラに、テレビチューナとしての画像処理機能（画像表示機能）を備えることで、ステンドグラスの一部を、テレビ用のディスプレイとして働かせることが可能となる。
【００４２】
なお、各板状発光部９３相互で、各カラーユニット９５の発光色を揃えることで、板状発光部をモノトーンで発光させることもでき、複数個の板状発光部９３を、広い発光面を有した単一の発光部として利用することもできる。
【００４３】
以上説明したように、本発明に係る各実施形態の電子ステンドグラスによれば、通電により発光する電子デバイスとして有機ＥＬ素子を使用していて、有機ＥＬ素子によって形成した板状発光部が光透過性を有しているため、例えば外光が十分な照度を持つ昼間においては、通電によらずに、板状発光部を通過する外光によってステンドグラスとしての着色層の鮮やかな発色を鑑賞することができ、外光が不足する夜間等には電子デバイスとしての有機ＥＬ素子への通電によって、着色層の鮮やかな発色を鑑賞することができる。従って、ステンドグラスを昼夜を問わず美しく鑑賞することができる。
【００４４】
さらに、外光が十分な照度を持つときには、有機ＥＬ素子へは通電せずに、外光によって着色層を発色させることによって、節電することができ、節電によって維持費の軽減を図ることができる。
【図面の簡単な説明】
【図１】本発明に係る電子ステンドグラスの第１の実施形態の概略構成を示す縦断面図である。
【図２】図１に示した電子ステンドグラスで使用する有機ＥＬ素子の構成を示す縦断面図である。
【図３】本発明に係る電子ステンドグラスの第２の実施形態の概略構成を示す縦断面図である。
【図４】本発明に係る電子ステンドグラスの第３の実施形態の概略構成を示す縦断面図である。
【図５】本発明に係る電子ステンドグラスの第４の実施形態の概略構成を示す縦断面図である。
【図６】本発明に係る電子ステンドグラスの第５の実施形態の概略構成を示す縦断面図である。
【図７】本発明に係る電子ステンドグラスの第６の実施形態の概略構成を示す縦断面図である。
【図８】本発明に係る電子ステンドグラスの第７の実施形態の概略構成を示す縦断面図である。
【図９】図８のＣ−Ｃ断面図である。
【図１０】（ａ）は本発明に係る電子ステンドグラスの第８の実施形態を傘に組み込んだ電気スタンドの斜視図、（ｂ）は（ａ）に示した電気スタンドの傘に組み込まれた有機ＥＬ素子の発光制御のブロック図である。
【図１１】（ａ）は本発明に係る電子ステンドグラスの第９の実施形態の平面図、（ｂ）は（ａ）に示したＢ部の拡大図である。
【図１２】従来のステンドグラスの概略構成図である。
【図１３】従来の電子ステンドグラスの概略構成図である。
【符号の説明】
１１　電子ステンドグラス
１３，１４　透明支持体
１６　板状発光部
１７　有機ＥＬ素子
１８　第１電極（陰極）
１９　第２電極（陽極）
２０，２１，２２，２３，……　有機ＥＬ層
３１　電源
３３　透明な色板ガラス
４１　電子ステンドグラス
４３ａ，４３ｂ，４３ｃ，……　カラーフィルタ
４５　電子ステンドグラス
４７　太陽電池
４９　電子ステンドグラス
５１　電子ステンドグラス
５２　電源
５３　光センサ
５５　電子ステンドグラス
５７　電源
５９　タイマ
６１　電子ステンドグラス
６３　板状発光部
６４　有機ＥＬ素子
６８　フレーム
７１　配線材
７５　電子ステンドグラス
８１　フレーム
８３ａ，８３ｂ，８３ｃ，……　有機ＥＬ素子
９１　電子ステンドグラス
９３　板状発光部
９５　カラーユニット
【図１】
2004142292.tif 000003
【図２】
2004142292.tif 000004
【図３】
2004142292.tif 000005
【図４】
2004142292.tif 000006
【図５】
2004142292.tif 000007
【図６】
2004142292.tif 000008
【図７】
2004142292.tif 000009
【図８】
2004142292.tif 000010
【図９】
2004142292.tif 000011
【図１０】
2004142292.tif 000012
【図１１】
2004142292.tif 000013
【図１２】
2004142292.tif 000014
【図１３】
2004142292.tif 000015